(57)【要約】      （修正有）【課題】防水栓の未使用の電線挿通孔を介したハウジング内への水滴の侵入を防止できると共に、部品点数及び組付け工数の増加を抑制できる防水型コネクタを得る。【解決手段】防水型コネクタ１０では、防水栓２２の未使用の第１電線挿通孔２６Ｄには、ホルダ３０の嵌合突起４０Ｄが嵌合している。これにより、未使用の第１電線挿通孔２６Ｄを介して外部から水滴がハウジング１２内に侵入することが防止される。しかも、この防水型コネクタ１０では、嵌合突起４０Ｄが、防水栓２２のハウジング１２からの脱落を防止するホルダ３０の本体部３２に一体に設けられた構成であるため、特別に設定した別部品の封止ピン等を未使用の第１電線挿通孔２６Ｄに差し込む場合に比べて、部品点数の増加を抑制でき、ホルダの本体部をハウジングに組付けることで嵌合突起４０Ｄを未使用の第１電線挿通孔２６Ｄに嵌合させることができるので、組付け工数の増加の抑制できる。【選択図】  図１
2007005018.tif 000002
【特許請求の範囲】
【請求項１】
端子金具を保持可能な複数の保持部が内部に形成され、前記複数の保持部のうち所定の幾つかが端子金具を保持すると共に、前記複数の保持部と外部とを連通させ前記保持した端子金具に接続された電線が挿通される嵌合孔が一端部に形成されたハウジングと、
前記嵌合孔に嵌合すると共に前記複数の保持部に対応して形成された複数の第１電線挿通孔を有し、前記端子金具を保持した前記所定の幾つかの前記保持部に対応する前記第１電線挿通孔に前記電線が挿通されると共に、前記電線が挿通されていない未使用の前記第１電線挿通孔以外の個所からの前記嵌合孔を介した前記ハウジング内への水滴の侵入を防止する防水栓と、
前記防水栓を介して前記端子金具とは反対側に設けられ、前記ハウジングの前記一端部に係止されることで前記防水栓の前記ハウジングからの脱落を防止する本体部、及び、前記本体部に形成され、前記第１電線挿通孔に挿通された前記電線が挿通される第２電線挿通孔、並びに、前記本体部に一体に形成され、前記未使用の前記第１電線挿通孔に嵌合する嵌合突起を有し、前記未使用の前記第１電線挿通孔を介した前記ハウジング内への水滴の侵入を防止するホルダと、
を備えた防水型コネクタ。
【発明の詳細な説明】
【技術分野】
【０００１】
本発明は、防水型コネクタに関する。
【背景技術】
【０００２】
防水型コネクタとしては、ハウジング内に取り付けられる複数の端子金具に対して該ハウジングの一端に形成された孔部を介して電線が接続されると共に、これらの電線が挿通される複数の電線挿通孔が形成されたゴム製の防水栓をハウジングの孔部に嵌合させることで、孔部を介したハウジング内への水滴の侵入を防止する構成とした防水型コネクタが知られている（例えば、特許文献１参照）。
【０００３】
このような防水型コネクタでは、ハウジング内には端子金具を保持可能な複数（例えば６個）の保持孔が形成されており、防水栓にも前記複数の保持孔に対応して複数の電線挿通孔が形成されている。
【０００４】
ところで、上記構成の防水型コネクタでは、使用条件によっては複数の保持孔のうちの幾つか（例えば３個）にしか端子金具が取り付けられない場合がある。このような場合、防水栓の複数の電線挿通孔のうち端子金具が取り付けられた保持孔に対応する電線挿通孔は電線が挿通されることで塞がれるが、残りの未使用の電線挿通孔は開口したままとなるため、当該未使用の電線挿通孔を介して水滴がハウジング内に侵入する可能性がある。
【０００５】
このため、未使用の電線挿通孔に例えば特別に設定した別部品の封止ピンを差し込んで塞ぐなどの対策が必要であるが、このような対策では部品点数が増加する原因になると共に、各封止ピンをそれぞれ別々に未使用の電線挿通孔に差し込まなければならないため、組付け工数が増加する原因にもなる。
【特許文献１】特開平９−１７４９８号公報
【発明の開示】
【発明が解決しようとする課題】
【０００６】
本発明は上記事実を考慮し、防水栓の未使用の電線挿通孔を介したハウジング内への水滴の侵入を防止できると共に、部品点数及び組付け工数の増加を抑制できる防水型コネクタを得ることが目的である。
【課題を解決するための手段】
【０００７】
上記課題を解決するために、請求項１に係る発明の防水型コネクタは、端子金具を保持可能な複数の保持部が内部に形成され、前記複数の保持部のうち所定の幾つかが端子金具を保持すると共に、前記複数の保持部と外部とを連通させ前記保持した端子金具に接続された電線が挿通される嵌合孔が一端部に形成されたハウジングと、前記嵌合孔に嵌合すると共に前記複数の保持部に対応して形成された複数の第１電線挿通孔を有し、前記端子金具を保持した前記所定の幾つかの前記保持部に対応する前記第１電線挿通孔に前記電線が挿通されると共に、前記電線が挿通されていない未使用の前記第１電線挿通孔以外の個所からの前記嵌合孔を介した前記ハウジング内への水滴の侵入を防止する防水栓と、前記防水栓を介して前記端子金具とは反対側に設けられ、前記ハウジングの前記一端部に係止されることで前記防水栓の前記ハウジングからの脱落を防止する本体部、及び、前記本体部に形成され、前記第１電線挿通孔に挿通された前記電線が挿通される第２電線挿通孔、並びに、前記本体部に一体に形成され、前記未使用の前記第１電線挿通孔に嵌合する嵌合突起を有し、前記未使用の前記第１電線挿通孔を介した前記ハウジング内への水滴の侵入を防止するホルダと、を備えたことを特徴としている。
【０００８】
請求項１記載の防水型コネクタでは、ハウジング内には、端子金具を保持可能な複数の保持部が形成されており、これら複数の保持部のうち所定の幾つかには端子金具が保持されている。また、ハウジングの一端部には、複数の保持部と外部とを連通させる嵌合孔が形成されており、この嵌合孔には防水栓が嵌合している。この防水栓には、ハウジングの複数の保持部に対応して複数の第１電線挿通孔が形成されており、これら複数の第１電線挿通孔のうち所定の幾つかには、保持部に保持された端子金具に接続された電線が挿通されている。さらに、防水栓を介して複数の保持部とは反対側にはハウジングの一端部に係止されたホルダが設けられており、このホルダの本体部によって防水栓のハウジングからの脱落が防止されている。
【０００９】
ここで、この防水型コネクタでは、防水栓は、電線が挿通されていない未使用の第１電線挿通孔以外の個所からの嵌合孔を介したハウジング内への水滴の侵入を防止するようになっている。また、ホルダの本体部には、防水栓の第１電線挿通孔に挿通された電線が挿通される第２電線挿通孔と、未使用の第１電線挿通孔に嵌合する嵌合突起とが設けられており、未使用の第１電線挿通孔はホルダの嵌合突起により塞がれた状態になっている。これにより、未使用の第１電線挿通孔を介したハウジング内への水滴の侵入が防止され、嵌合孔を介したハウジング内への水滴の侵入が防止される。
【００１０】
しかも、この防水型コネクタでは、防水栓の未使用の第１電線挿通孔に嵌合する嵌合突起が、防水栓のハウジングからの脱落を防止するホルダの本体部に一体に設けられた構成であるため、部品点数の増加を抑制できる。また、ホルダの本体部をハウジングに組付けることで嵌合突起を未使用の第１電線挿通孔に嵌合させることができるので、組付け工数の増加も抑制できる。
【発明の効果】
【００１１】
以上説明した如く、本発明の防水型コネクタでは、防水栓の未使用の電線挿通孔を介したハウジング内への水滴の侵入を防止できると共に、部品点数及び組付け工数の増加を抑制できる。
【発明を実施するための最良の形態】
【００１２】
図１には、本発明の実施の形態に係る防水型コネクタ１０の構成が縦断面図にて示されている。また、図２には、防水型コネクタ１０の構成が横断面図にて示されている。さらに、図３には、防水型コネクタ１０の構成が左側面図にて示されており、図４には、防水型コネクタ１０の構成が右側面図にて示されている。
【００１３】
防水型コネクタ１０は、樹脂材料により形成されたハウジング１２を備えている。ハウジング１２の内部には、端子金具１４を保持可能な保持部としての複数（本実施の形態では、６個）の保持孔１６Ａ、１６Ｂ、１６Ｃ、１６Ｄ、１６Ｅ、１６Ｆが形成されている。これらの保持孔１６Ａ、１６Ｂ、１６Ｃ、１６Ｄ、１６Ｅ、１６Ｆは、横に２列で縦に３列の状態で配列されており、保持孔１６Ａ、１６Ｂ、１６Ｆには、それぞれ端子金具１４Ａ、１４Ｂ、１４Ｆが保持されている。
【００１４】
ハウジング１２の右端部には、断面小判形の嵌合孔１８が形成されており、この嵌合孔１８は、上記６個の保持孔１６Ａ、１６Ｂ、１６Ｃ、１６Ｄ、１６Ｅ、１６Ｆを外部に連通させている。また、この嵌合孔１８には、端子金具１４Ａ、１４Ｂ、１４Ｆに接続された３本の電線２０Ａ、２０Ｂ、２０Ｆが挿通されている。
【００１５】
嵌合孔１８の内部には、ゴム等の弾性材料からなる防水栓２２が設けられている。図５乃至図７に示す如く、防水栓２２は、嵌合孔１８の形状に対応する断面小判形の軸線方向寸法が短い円柱状に形成されており、嵌合孔１８の内側に嵌合している。防水栓２２の外周部には複数のひだ部２４が形成されており、これら複数のひだ部２４は、所定量弾性変形した状態で嵌合孔１８の内周面に密着している。これにより、防水栓２２の外周と嵌合孔１８の内周との間を介して外部から水滴がハウジング１２内に侵入することが防止されている。
【００１６】
また、この防水栓２２には、ハウジング１２の６個の保持孔１６Ａ、１６Ｂ、１６Ｃ、１６Ｄ、１６Ｅ、１６Ｆに対応する位置に６個の第１電線挿通孔２６Ａ、２６Ｂ、２６Ｃ、２６Ｄ、２６Ｅ、２６Ｆが形成されており、これらの第１電線挿通孔２６Ａ、２６Ｂ、２６Ｃ、２６Ｄ、２６Ｅ、２６Ｆの内側にはそれぞれ複数のひだ部２８が形成されている。また、保持孔１６Ａ、１６Ｂ、１６Ｆに対応する第１電線挿通孔２６Ａ、２６Ｂ、２６Ｆには端子金具１４Ａ、１４Ｂ、１４Ｆに接続された電線２０Ａ、２０Ｂ、２０Ｆが挿通されており、上記複数のひだ部２８が所定量弾性変形した状態で電線２０Ａ、２０Ｂ、２０Ｆの外周面に密着している。これにより、電線２０Ａ、２０Ｂ、２０Ｆが挿通された第１電線挿通孔２６Ａ、２６Ｂ、２６Ｆを介して外部から水滴がハウジング１２内に侵入することが防止されている。
【００１７】
防水栓２２を介して複数の保持孔１６Ａ、１６Ｂ、１６Ｃ、１６Ｄ、１６Ｅ、１６Ｆとは反対側には、樹脂材料により形成されたホルダ３０が設けられている。図８乃至図１１に示す如く、ホルダ３０は、嵌合孔１８の形状に対応する断面小判形の軸線方向寸法が短い円柱状に形成された本体部３２を備えており、この本体部３２は嵌合孔１８の内側に嵌合している。本体部３２の外周部には、一対の係止爪３４が突出形成されており、これら一対の係止爪３４は、ハウジング１２の一端部に形成された一対の係止孔３６内に入り込んでいる。これにより、本体部３２は嵌合孔１８内においてハウジング１２に係止されており、この本体部３２によって防水栓２２が所定位置に保持されている（防水栓２２のハウジング１２からの脱落が防止されている）。
【００１８】
また、本体部３２には、電線２０Ａ、２０Ｂ、２０Ｆが挿通された第１電線挿通孔２６Ａ、２６Ｂ、２６Ｆに対応する位置に第２電線挿通孔３８Ａ、３８Ｂ、３８Ｆが形成されており、これらの第２電線挿通孔３８Ａ、３８Ｂ、３８Ｆには、第１電線挿通孔２６Ａ、２６Ｂ、２６Ｆに挿通された電線２０Ａ、２０Ｂ、２０Ｆが挿通されている。
【００１９】
さらに、本体部３２には、電線が挿通されていない未使用の第１電線挿通孔２６Ｃ、２６Ｄ、２６Ｅに対応する位置に円柱状の嵌合突起４０Ｃ、４０Ｄ、４０Ｅが一体に突出形成されている。これらの嵌合突起４０Ｃ、４０Ｄ、４０Ｅは、それぞれ第１電線挿通孔２６Ｃ、２６Ｄ、２６Ｅに嵌合しており、第１電線挿通孔２６Ｃ、２６Ｄ、２６Ｅ内に形成された複数のひだ部２８が所定量弾性変形した状態で嵌合突起４０Ｃ、４０Ｄ、４０Ｅの外周面に密着している。これにより、第１電線挿通孔２６Ｃ、２６Ｄ、２６Ｅを介して外部から水滴がハウジング１２の内部に侵入することが防止されている。
【００２０】
次に、本実施の形態の作用について説明する。
【００２１】
上記構成の防水型コネクタ１０では、ハウジング１２の嵌合孔１８には防水栓２２が嵌合しており、防水栓２２の外周部に形成された複数のひだ部２４が嵌合孔１８の内周面に密着している。これにより、嵌合孔１８の内周と防水栓２２の外周との間を介して外部から水滴がハウジング１２内に侵入することが防止される。
【００２２】
また、防水栓２２の６個の第１電線挿通孔２６Ａ、２６Ｂ、２６Ｃ、２６Ｄ、２６Ｅ、２６Ｆのうち電線２０Ａ、２０Ｂ、２０Ｆが挿通された３個の第１電線挿通孔２６Ａ、２６Ｂ、２６Ｆは、電線２０Ａ、２０Ｂ、２０Ｆにより塞がれており、電線２０Ａ、２０Ｂ、２０Ｆの外周部にひだ部２８が密着している。これにより、第１電線挿通孔２６Ａ、２６Ｂ、２６Ｆを介して外部から水滴がハウジング１２内に侵入することが防止される。
【００２３】
さらに、防水栓２２の残りの未使用の第１電線挿通孔２６Ｃ、２６Ｄ、２６Ｅには、ホルダ３０の嵌合突起４０Ｃ、４０Ｄ、４０Ｅが嵌合しており、嵌合突起４０Ｃ、４０Ｄ、４０Ｅの外周面にひだ部２８が密着している。これにより、未使用の第１電線挿通孔２６Ｃ、２６Ｄ、２６Ｅを介して外部から水滴がハウジング１２内に侵入することが防止される。
【００２４】
したがって、この防水型コネクタ１０では、嵌合孔１８を介して外部から水滴がハウジング１２内に侵入することがない。
【００２５】
しかも、この防水型コネクタ１０では、防水栓２２の未使用の第１電線挿通孔２６Ｃ、２６Ｄ、２６Ｅに嵌合する嵌合突起４０Ｃ、４０Ｄ、４０Ｅが、防水栓２２のハウジング１２からの脱落を防止するホルダ３０の本体部３２に一体に設けられた構成であるため、例えば、特別に設定した別部品の封止ピン等を未使用の第１電線挿通孔２６Ｃ、２６Ｄ、２６Ｅに差し込む場合に比べて、部品点数の増加を抑制できる。また、ホルダ３０の本体部３２をハウジングに組付けることで嵌合突起４０Ｃ、４０Ｄ、４０Ｅを未使用の第１電線挿通孔２６Ｃ、２６Ｄ、２６Ｅに嵌合させることができるので、組付け工数の増加の抑制できる。
【００２６】
さらに、この防水型コネクタ１０では、防水栓２２の未使用の第１電線挿通孔２６Ｃ、２６Ｄ、２６Ｅに嵌合する嵌合突起４０Ｃ、４０Ｄ、４０Ｅが、一対の係止爪３４および一対の係止孔３６によってハウジング１２に係止されるホルダ３０の本体部３２に一体的に設けられているため、嵌合突起４０Ｃ、４０Ｄ、４０Ｅを未使用の第１電線挿通孔２６Ｃ、２６Ｄ、２６Ｅ内に確実に保持できる。
【００２７】
なお、以上の説明では、ハウジング１２の６個の保持孔１６Ａ、１６Ｂ、１６Ｃ、１６Ｄ、１６Ｅ、１６Ｆのうち３個の保持孔１６Ａ、１６Ｂ、１６Ｆに端子金具１４Ａ、１４Ｂ、１４Ｆが取り付けられた場合について説明したが、例えば、ハウジング１２の６個の保持孔１６Ａ、１６Ｂ、１６Ｃ、１６Ｄ、１６Ｅ、１６Ｆのうち５個の保持孔１６Ａ、１６Ｂ、１６Ｃ、１６Ｄ、１６Ｆに端子金具１４が取り付けられる場合には、ホルダ３０の代わりに、図１２に示すようなホルダ５０を適用する構成となる。
【００２８】
このホルダ５０は、ホルダ３０と基本的に同様の構成とされているが、ホルダ３０の嵌合突起４０Ｃ、４０Ｄの代わりに第２電線挿通孔３８Ｃ、３８Ｄを備えている。これらの第２電線挿通孔３８Ｃ、３８Ｄには、保持孔１６Ｃ、１６Ｄに取り付けられた端子金具１４に接続されて防水栓２２の第１電線挿通孔２６Ｃ、２６Ｄに挿通された電線が挿通される構成となる。
【００２９】
すなわち、この防水型コネクタ１０では、樹脂材料により安価に成形できるホルダを変更（第２電線挿通孔及び嵌合突起の数を変更）することで、端子金具１４の数を１乃至６個の範囲で任意に変更でき、ゴム等からなる高価な防水栓２２を部品共用することができる。
【００３０】
以上説明した如く、本発明の実施の形態に係る防水型コネクタ１０では、防水栓２２の未使用の電線挿通孔２６Ｃ、２６Ｄ、２６Ｅを介したハウジング１２内への水滴の侵入を防止できると共に、部品点数及び組付け工数の増加を抑制できる。
【００３１】
なお、上記実施の形態に係る防水型コネクタ１０では、ハウジング１２に端子金具を保持可能な保持孔１６が６個形成された場合について説明したが、本発明はこれに限るものではない。
【図面の簡単な説明】
【００３２】
【図１】本発明の実施の形態に係る防水型コネクタの構成を示す縦断面図である。
【図２】本発明の実施の形態に係る防水型コネクタの構成を示す横断面図である。
【図３】本発明の実施の形態に係る防水型コネクタの構成を示す左側面図である。
【図４】本発明の実施の形態に係る防水型コネクタの構成を示す右側面図である。
【図５】本発明の実施の形態に係る防水型コネクタの構成部材である防水栓の構成を示す斜視図である。
【図６】本発明の実施の形態に係る防水型コネクタの構成部材である防水栓の構成を示す正面図である。
【図７】本発明の実施の形態に係る防水型コネクタの構成部材である防水栓の構成を示す断面図である。
【図８】本発明の実施の形態に係る防水型コネクタの構成部材であるホルダの構成を示す斜視図である。
【図９】本発明の実施の形態に係る防水型コネクタの構成部材であるホルダの構成を示す正面図である。
【図１０】本発明の実施の形態に係る防水型コネクタの構成部材であるホルダの構成を示す断面図である。
【図１１】本発明の実施の形態に係る防水型コネクタの構成部材であるホルダの構成を示す背面図である。
【図１２】本発明の実施の形態に係る防水型コネクタの構成部材であるホルダの変形例の構成を示す斜視図である。
【符号の説明】
【００３３】
１０・・防水型コネクタ、１２・・ハウジング、１４Ａ、１４Ｂ、１４Ｆ・・端子金具、１６Ａ、１６Ｂ、１６Ｃ、１６Ｄ、１６Ｅ、１６Ｆ・・保持孔、１８・・嵌合孔、２０Ａ、２０Ｂ、２０Ｃ・・電線、２２・・防水栓、２６Ａ、２６Ｂ、２６Ｃ、２６Ｄ、２６Ｅ、２６Ｆ・・第１電線挿通孔、３０・・ホルダ、３２・・本体部、３８Ａ、３８Ｂ、３８Ｆ・・第２電線挿通孔、４０Ｃ、４０Ｄ、４０Ｅ・・嵌合突起、５０・・ホルダ
【図１】
2007005018.tif 000003
【図２】
2007005018.tif 000004
【図３】
2007005018.tif 000005
【図４】
2007005018.tif 000006
【図５】
2007005018.tif 000007
【図６】
2007005018.tif 000008
【図７】
2007005018.tif 000009
【図８】
2007005018.tif 000010
【図９】
2007005018.tif 000011
【図１０】
2007005018.tif 000012
【図１１】
2007005018.tif 000013
【図１２】
2007005018.tif 000014